(57)【要約】【課題】  ネットワーク接続されている複数の情報端末装置のうちの所望の情報端末装置を切り換え選択し、所望の情報端末装置からの画像情報を表示部に表示することができる画像表示装置を提供する。【解決手段】  接続可能な情報端末装置２Ａ，２Ｂ，２Ｃ・・・のリスト７１がスクリーン５の一部に表示されるＰＣ選択画面７０の中に表示される。ユーザがリスト７１の中からリモートコントローラ６９の操作部上の上又は下選択キーを押して接続する情報端末装置を選択し、決定（エンター）キーを押すと、画像表示装置１は選択された情報端末装置と接続する。ＰＣ選択画面７０内のリスト７１では、「○△××」さんのＰＣ−２Ａが選択されている。接続中は、接続マーク７２が選択された［「○△××」さんのＰＣ−２Ａ］の左側に表示される。【選択図】  図８
2005285087.tif 000002
【特許請求の範囲】
【請求項１】
表示部と通信手段を有するとともに、一または複数の情報端末装置からネットワーク経由で送られる画像情報を上記通信手段にて受信し、上記画像情報に基づく画像を上記表示部に表示する画像表示装置において、
上記一または複数の情報端末装置のうちでネットワークに接続したいものを予め記憶保持させる保持手段と、
上記保持手段により保持される情報端末装置を読み出す制御手段と、
上記制御手段により読み出された情報端末装置をリストとして上記表示部に表示させるための映像信号を生成する映像信号出力手段と、
上記表示部に表示されたリストから一つの情報端末装置を選択する選択手段と
を備え、
上記制御手段は、上記選択手段により選択された情報端末装置に対して接続要求信号を生成し、
上記通信手段は、上記制御手段からの上記接続要求信号を送信することを特徴とする画像表示装置。
【請求項２】
上記通信手段は、上記接続要求信号に対応する上記情報端末装置からの受諾応答信号を受信したのちに上記画像情報を受信することを特徴とする請求項１記載の画像表示装置。
【請求項３】
上記選択手段により他の情報端末装置に接続を切り換えるとき、上記制御手段は接続している情報端末装置に切断要求信号を上記通信手段を介して送信し、上記接続している情報端末装置から受諾応答信号を受信し、接続が切断された後に、他の情報端末装置に接続要求信号を送信することを特徴とする請求項１記載の画像表示装置。
【請求項４】
上記選択手段により選択された情報端末装置から上記通信手段を介して拒否信号を受信したとき、上記制御手段は、上記選択された情報端末装置に接続できないことを表示するよう制御することを特徴とする請求項１または請求項３に記載の画像表示装置。
【請求項５】
上記選択手段により他の情報端末装置に接続を切り換えるとき、上記制御手段は既に接続している情報端末装置に切断要求信号を上記通信手段を介して送信したのち、上記接続している情報端末装置から受諾応答信号を受信するまでは、上記他の情報端末装置に接続要求信号を保留することを特徴とする請求項１記載の画像表示装置。
【請求項６】
ネットワークに接続可能な一または複数の情報端末装置と該一または複数の情報端末装置からネットワーク経由で画像情報の転送を受けて上記画像情報に基づく画像を表示部に表示する画像表示装置からなる画像表示システムにおいて、
上記画像表示装置は、
上記一または複数の情報端末装置のうちでネットワークに接続したいものを予め記憶保持させる保持手段と、
上記保持手段により保持される情報端末装置を読み出す制御手段と、
上記制御手段により読み出された情報端末装置をリストとして上記表示部に表示させるための映像信号を生成する映像信号出力手段と、
上記表示部に表示されたリストから一つの情報端末装置を選択する選択手段と
を備え、
上記制御手段は、上記選択手段により選択された情報端末装置に対して接続要求信号を生成し、
上記通信手段は、上記制御手段にて生成された上記接続要求信号を送信し、
上記選択された情報端末装置は、
上記接続要求信号に対応して受託応答信号を送信したのちに上記画像情報を送信することを特徴とする画像表示システム。
【請求項７】
一または複数の情報端末装置からネットワーク経由で送られる画像情報を受信して該画像情報に基づく画像を表示する画像表示装置の画像表示方法において、
上記一または複数の情報端末装置のうちでネットワークに接続したいものを予め記憶保持させる保持ステップと、
上記保持ステップにより保持される情報端末装置を読み出す読み出しステップと、
読み出された情報端末装置をリストとして表示させる表示ステップと、
表示されたリストから一つの情報端末装置を選択する選択ステップと、
選択された情報端末装置に対して接続要求信号を生成して送信するステップと
を備えることを特徴とする画像表示方法。
【発明の詳細な説明】
【技術分野】
【０００１】
本発明は、無線又は有線ネットワークに接続された複数の情報端末装置からネットワーク経由で画像の転送を受けて表示部に表示する画像表示装置、及び無線又は有線ネットワークに接続された複数の情報端末装置と画像表示装置からなる画像表示システム並びに画像表示方法に関する。
【背景技術】
【０００２】
一般に、画像を表示する装置（以下、画像表示装置という）としては、所定の投影面（スクリーン）と、当該スクリーンに画像を投影表示する画像投影装置（プロジェクタ：Projector：PJ)からなるプロジェクションディスプレイシステムのような画像表示装置や、陰極線を利用して画像を表示する陰極線管（Cathode Ray Tube：CRT）表示装置、或いは液晶表示部（Liquid Crystal Display：LCD）に画像を表示する画像表示装置等が知られている。このような画像表示装置は、一般に、パーソナルコンピュータなどの情報端末装置から有線通信又は無線通信によって送信された画像情報を受信し、受信した画像情報に応じた画像を表示できるように構成されている。
【０００３】
本件出願人による下記特許文献１には、有線接続された情報端末装置と画像表示装置との間で、情報端末装置から伝送された画像情報をプロジェクタが受信し、スクリーンに投影する構成が開示されている。
【０００４】
【特許文献１】特開２００２−１２３２３８号公報
【発明の開示】
【発明が解決しようとする課題】
【０００５】
ところで、上記特許文献１のように、ネットワークに接続された情報端末装置からネットワーク経由で上記プロジェクタに画面を転送し、スクリーンに表示する場合には、情報端末装置側で操作を行う必要があった。一方、画面を送ってくる側の情報処理端末を複数の情報処理端末の中からプロジェクタ側から選択するのは困難であった。
【０００６】
本発明は、上記実情に鑑みてなされたものであり、ネットワーク接続されている複数の情報端末装置のうちの所望の情報端末装置を切り換え選択し、所望の情報端末装置からの画像情報を表示部に表示することができる画像表示装置及び画像表示方法の提供を目的とする。
【０００７】
また、本発明は、上記実情に鑑みてなされたものであり、無線又は有線ネットワークに接続された複数の情報端末装置と画像表示装置からなる画像表示システムにあって、画像表示装置側からネットワーク接続されている複数の情報端末装置のうちの所望の情報端末装置を切り換え選択し、所望の情報端末装置からの画像情報を画像表示装置の表示部に表示することができる画像表示システムの提供を目的とする。
【課題を解決するための手段】
【０００８】
本発明に係る画像表示装置は、上記課題を解決するために、表示部と通信手段を有するとともに、一または複数の情報端末装置からネットワーク経由で送られる画像情報を上記通信手段にて受信し、上記画像情報に基づく画像を上記表示部に表示する画像表示装置において、上記一または複数の情報端末装置のうちでネットワークに接続したいものを予め記憶保持させる保持手段と、上記保持手段により保持される情報端末装置を読み出す制御手段と、上記制御手段により読み出された情報端末装置をリストとして上記表示部に表示させるための映像信号を生成する映像信号出力手段と、上記表示部に表示されたリストから一つの情報端末装置を選択する選択手段とを備え、上記制御手段は、上記選択手段により選択された情報端末装置に対して接続要求信号を生成し、上記通信手段は、上記制御手段からの上記接続要求信号を送信する。
【０００９】
映像信号出力手段は制御手段により保持手段から読み出された情報端末装置をリストとして表示するための映像信号を生成し、制御手段は上記映像信号に基づいて表示部に表示されたリストから選択手段によって選択された情報端末装置に対して接続要求信号を生成し、通信手段は上記接続要求信号を送信する。
【００１０】
本発明に係る画像表示システムは、上記課題を解決するために、ネットワークに接続可能な一または複数の情報端末装置と該一または複数の情報端末装置からネットワーク経由で画像情報の転送を受けて上記画像情報に基づく画像を表示部に表示する画像表示装置からなる画像表示システムにおいて、上記画像表示装置は、上記一または複数の情報端末装置のうちでネットワークに接続したいものを予め記憶保持させる保持手段と、上記保持手段により保持される情報端末装置を読み出す制御手段と、上記制御手段により読み出された情報端末装置をリストとして上記表示部に表示させるための映像信号を生成する映像信号出力手段と、上記表示部に表示されたリストから一つの情報端末装置を選択する選択手段とを備え、上記制御手段は、上記選択手段により選択された情報端末装置に対して接続要求信号を生成し、上記通信手段は、上記制御手段にて生成された上記接続要求信号を送信し、上記選択された情報端末装置は、上記接続要求信号に対応して受託応答信号を送信したのちに上記画像情報を送信する。
【００１１】
画像表示装置の映像信号出力手段は制御手段により保持手段から読み出された情報端末装置をリストとして表示するための映像信号を生成し、制御手段は上記映像信号に基づいて表示部に表示されたリストから選択手段によって選択された情報端末装置に対して接続要求信号を生成し、通信手段は上記接続要求信号を送信する。選択された情報端末装置は上記接続要求信号に対応して受託応答信号を送信したのちに上記画像情報を送信する。
【００１２】
本発明に係る画像表示方法は、上記課題を解決するために、一または複数の情報端末装置からネットワーク経由で送られる画像情報を受信して該画像情報に基づく画像を表示する画像表示装置の画像表示方法において、上記一または複数の情報端末装置のうちでネットワークに接続したいものを予め記憶保持させる保持ステップと、上記保持ステップにより保持される情報端末装置を読み出す読み出しステップと、読み出された情報端末装置をリストとして表示させる表示ステップと、表示されたリストから一つの情報端末装置を選択する選択ステップと、選択された情報端末装置に対して接続要求信号を生成して送信するステップとを備える。
【００１３】
表示ステップは読み出しステップにより保持手段から読み出された情報端末装置をリストとして表示させ、送信ステップは表示部に表示されたリストから選択ステップによって選択された情報端末装置に対して接続要求信号を生成して送信する。
【発明の効果】
【００１４】
本発明の画像表示装置によれば、映像信号出力手段が制御手段により保持手段から読み出された情報端末装置をリストとして表示するための映像信号を生成し、制御手段が上記映像信号に基づいて表示部に表示されたリストから選択手段によって選択された情報端末装置に対して接続要求信号を生成し、通信手段が上記接続要求信号を送信するので、ネットワーク接続されている複数の情報端末装置のうちの所望の情報端末装置を切り換え選択し、所望の情報端末装置からの画像情報を表示部に表示することができる。
【００１５】
本発明の画像表示システムによれば、画像表示装置の映像信号出力手段が制御手段により保持手段から読み出された情報端末装置をリストとして表示するための映像信号を生成し、制御手段が上記映像信号に基づいて表示部に表示されたリストから選択手段によって選択された情報端末装置に対して接続要求信号を生成し、通信手段が上記接続要求信号を送信する。また、選択された情報端末装置が上記接続要求信号に対応して受託応答信号を送信したのちに上記画像情報を送信する。したがって、システムとして画像表示装置側からネットワーク接続されている複数の情報端末装置のうちの所望の情報端末装置を切り換え選択し、所望の情報端末装置からの画像情報を画像表示装置の表示部に表示することができる。
【００１６】
本発明の画像表示方法によれば、表示ステップが読み出しステップにより保持手段から読み出された情報端末装置をリストとして表示させ、送信ステップが表示部に表示されたリストから選択ステップによって選択された情報端末装置に対して接続要求信号を生成して送信するので、画像表示装置はネットワーク接続されている複数の情報端末装置のうちの所望の情報端末装置を切り換え選択し、所望の情報端末装置からの画像情報を表示部に表示することができる。
【発明を実施するための最良の形態】
【００１７】
以下、本発明の実施の形態について図面を参照しながら説明する。この実施の形態は、本発明の画像表示装置の具体例と、この画像表示装置の具体例にネットワーク経由で画像情報を送信する情報端末装置からなる画像表示システムである。
【００１８】
図１は画像表示システム１０の基本構成を示す図である。画像表示システム１０は、画像表示装置１と、３台の情報端末装置２Ａ、２Ｂ及び２Ｃとを無線通信路に接続して無線ネットワークを構成したシステムである。なお、画像表示システム１０は、あくまでも一例であり、この一例によって本発明の構成が限定されるものではない。情報端末装置は１台でも、或いはさらに複数でもよい。
【００１９】
無線通信路は、電波や赤外線など、有線ケーブル以外の伝送路を利用したものである。例えば、ダイレクト・シーケンス・スペクトル拡散(Direct Sequence Spread Spectrum：ＤＳＳＳ)無線通信向けのもの等のIEEE8O2.11規格に準拠する無線ＬＡＮ(ＷＬＡＮ)通信に採用されるのと同じ２．４ＧＨｚのＩＳＭ(Industrial,Scientificand Medical)帯域を使用する無線通信がある。ブルートゥース(Bluetooth)と称されている。また、赤外線データ通信の規格であるIrDA（Infrared Date Association）によるものがある。
【００２０】
画像表示装置１は、表示部の具体例であるスクリーン５と、このスクリーン５の表示画面５０上に画像５５を投影する画像投影装置（プロジェクタ：Projector)６０からなる。プロジェクタ６０のスロット６０ａには、例えばワイヤレス接続用モジュールのような通信モジュール４０が差し込まれている。この通信モジュール４０は、３台の情報端末装置２Ａ、２Ｂ及び２Ｃとの通信を行うものであり、通信接続や通信切断のための要求信号、応答信号、及び拒否信号等の送受信に使用される。また、３台の情報端末装置２Ａ、２Ｂ及び２Ｃから無線ネットワーク経由で送られてくる画像情報の受信に使用される。
【００２１】
３台の情報端末装置２Ａ、２Ｂ及び２Ｃは、例えばパーソナルコンピュータ（ＰＣ）である。各情報端末装置２Ａ、２Ｂ及び２Ｃも、各装置の本体にスロットを介してワイヤレス接続用モジュールのような通信モジュール４４Ａ、４４Ｂ及び４４Ｃが取り付けられる。これら通信モジュール４４Ａ、４４Ｂ及び４４Ｃも、プロジェクタ６０の通信モジュール４０との間で通信接続、通信切断のための要求信号、応答信号、拒否信号等の送受信に使用される。また、プロジェクタ６０に画像情報を送信するのにも使用される。もちろん、情報端末装置は、上記通信モジュール４４のような通信手段の装着が可能であり、画像を送信する機能を備えた装置であればＰＣに限定されるものではない。例えば、携帯情報端末（ＰＤＡ）や、携帯電話、デジタルカメラ等でもよい。
【００２２】
図２は、プロジェクタ６０と、３台の情報端末装置２Ａ、２Ｂ及び２Ｃによる無線ネットワークシステムを模式的に示す図である。
【００２３】
例えば、情報端末装置２Ａは、画像表示装置１のプロジェクタ６０によってスクリーン５に投影表示されることになる画像情報を暗号化し、通信モジュール４４により、プロジェクタ６０の通信モジュール４０に送信する。情報端末装置２Ｂ、２Ｃについても同様である。画像表示装置１のプロジェクタ６０は、情報端末装置２Ａから上記無線通信路を介して無線伝送された上記暗号化画像情報を通信モジュール４０により受信し、復号画像情報にしてからスクリーン５上の表示画面５０に拡大した画像５５として投射する。
【００２４】
図３は、画像表示装置１の構成を概略的に示すブロック図である。画像表示装置１は、スクリーン５とプロジェクタ６０から構成され、上記３台の情報端末装置２Ａ、２Ｂ及び２Ｃからネットワーク経由で送られてくる画像情報をワイヤレス接続用モジュールのような通信モジュール４０にて受信し、画像情報に基づく画像をスクリーン５に表示する。
【００２５】
プロジェクタ６０は、保持部６３と、制御部６１と、選択部６９と、映像信号出力部６５と、通信モジュール４０とを備える。
【００２６】
保持部６３は、無線ネットワークに接続したい情報端末装置を予め記憶している。図３に示した例では、情報端末装置２Ａ、２Ｂ及び２Ｃを予め記憶している。制御部６１は、保持部６３により保持される情報端末装置を読み出す。映像信号出力部６５は、制御部６１により読み出された情報端末装置をリスト７１としてスクリーン５に表示させるための映像信号を生成する。選択部６９は、スクリーン５に表示されたリスト７１から一つの情報端末装置を選択する。
【００２７】
制御部６１は、選択部６９により選択された情報端末装置に対して接続要求信号を生成する。通信モジュール４０は、制御部６１からの上記接続要求信号を該当する情報端末装置に送信する。
【００２８】
つまり、画像表示装置１によれば、映像信号出力部６５が制御部６１により保持部６３から読み出された情報端末装置をリスト７１としてスクリーン５に表示するための映像信号を生成し、制御部６１が上記映像信号に基づいてスクリーン５に表示されたリスト７１から選択部６９によって選択された情報端末装置に対して接続要求信号を生成し、通信モジュール４０が上記接続要求信号を送信する。
【００２９】
選択された情報端末装置は、上記接続要求信号に対応して受託応答信号を送信したのちに上記画像情報を送信する。
【００３０】
したがって、画像表示システム１０は、画像表示装置１側からネットワーク接続されている複数の情報端末装置のうちの所望の情報端末装置を切り換え選択し、所望の情報端末装置からの画像情報を画像表示装置１のスクリーン５に表示することができる。
【００３１】
画像表示装置１は、上記ブロック構成を採ることにより、以下の画像表示方法を実行すると言い換えることもできる。ここでいう、画像表示方法は、一または複数の情報端末装置のうちでネットワークに接続したいものを予め記憶保持させる保持ステップと、上記保持ステップにより保持される情報端末装置を読み出す読み出しステップと、読み出された情報端末装置をリストとして表示させる表示ステップと、表示されたリストから一つの情報端末装置を選択する選択ステップと、選択された情報端末装置に対して接続要求信号を生成して送信するステップとからなる。
【００３２】
なお、図３に構成を示した画像情報装置１と各情報端末装置２Ａ〜２Ｃは、後述するように、ＣＰＵ（中央演算装置）を中心としたハードウェア構成を採っている。図４には、画像表示装置１及び情報端末装置２Ａのハードウェア構成で必要とされるソフトウェアのシステム構成を示す。無線ネットワークへの接続設定を行う際、あるいは無線ネットワークを介して画像情報やその他の制御信号などを送受信する際に用いられる。
【００３３】
画像表示装置１は、後述するＲＯＭ内に予め出荷時にネットワーク接続のための接続アプリケーション４１と、ワイヤレス接続用モジュールを動かすためのドライバ４２とネットワーク接続のための設定情報４３とを書き込んでいる。また、画像表示装置１は、ワイヤレス接続用モジュール４０も付属品として備えている。
【００３４】
このワイヤレス接続用モジュール４０は、アンテナと送受信用チップを供えたＣＦカードタイプとされており、画像表示部１のプロジェクタ６０に設けられた専用のスロット６０ａに挿入されて使用される。さらに詳しくは、送信用データが後述するＣＰＵから通信コントロール部あるいはＩ／Ｆ部を経由してベースバンド処理部に送られ、ベースバンド処理部で信号処理され、ＲＦ処理部で伝送波にのせられ、無線通信アンテナから周辺のデバイスに無線送信される。また、逆に、周辺のデバイスから無線送信されてきた電波は、ローカル無線通信アンテナで受信され、ＲＦ部で信号抽出され、ベースバンド信号処理部で信号処理されてから、通信コントロール部あるいはＩ／Ｆ部経由で後述するＣＰＵに伝えられる。
【００３５】
接続アプリケーション４１は後述するＣＰＵによって実行され、ドライバ４２、設定情報４３を用いて、無線ネットワークへの接続を行ったり、画像転送を行う。
【００３６】
画像表示装置１は、ワイヤレス接続用モジュール４０と同様の機能のＵＳＢタイプのワイヤレス接続用モジュール４４を情報端末装置２Ａ用に同梱している。また、画像表示装置１は、上記接続アプリケーション４１、ドライバ４２及び設定情報４３と同様の接続アプリケーション４６、ドライバ４７及び設定情報４８を格納しているＵＳＢメモリ４５も同梱している。
【００３７】
ユーザは、画像表示装置１のプロジェクタ６０と情報端末装置２Ａとを無線ネットワークに接続するときには、ＵＳＢメモリ４５を情報端末装置２ＡのＵＳＢジャックに差し込んでから、セットアップファイルをマウスによりクリックする。すると、情報端末装置２Ａでは、自動的にインストーラが起動し、接続アプリケーション４６、ドライバ４７及び設定情報４８がＨＤＤ内に自動的に収納される。その後、ユーザがワイヤレス接続用モジュール４４を情報端末装置２ＡのＵＳＢジャック（スロット）に差し込むと、無線ネットワークへの接続設定が終了し、既に起動されている画像表示装置１のプロジェクタ６０との間でデータの送受信が無線ネットワークを介して行われることになる。
【００３８】
設定情報４３及び４８は、ワイヤレスネットワーク接続を行うための設定情報である。図５は設定情報４３及び４８の具体例を示す図である。設定情報項目７と各設定情報内容８を示している。設定情報項目７のネットワークモードは、アクセスポイントに接続するモード（アクセスポイント接続モード）なのか、或いはある機器に対して１対１で接続するモード（アドホックモード）なのかを区別する設定情報である。図１に示すような接続では、アドホックモードとされている。ネットワーク名（ＳＳＩＤ）は、ネットワークの名前であり、画像表示装置１の固有の名前となる。ここでは、ＰＪ−００５とされている。「００５」はシリアル番号である。ネットワークチャンネルは、使用する周波数帯域を示す。例えば「１」から「１１」までのチャンネルとされている。データの暗号化（ＷＥＰ）は、本システムが無線ネットワークを構成しているので、データ傍受の危険性からデータを守るための暗号化の方法を指定する情報である。以上のネットワークモード、ネットワーク名、ネットワークチャンネル、データの暗号化方法は、ワイヤレス接続用モジュール４０及び４４の設定に関する情報である。
【００３９】
また、設定情報項目７のＩＰアドレス（Internet Protocol Address）は、本来であればインターネットに接続されたコンピュータの住所に当たる数列を意味する。ここでは、画像表示装置１のプロジェクタ６０及び情報端末装置２Ａのネットワーク上でのアドレスを示すものである。例えば、情報端末装置２Ａ側の設定情報４８では、オートＩＰとされる（Auto IP(DHCP)）。画像表示装置１のプロジェクタ６０は、無線ネットワークにおけるDHCPサーバではないが、元々オートＩＰという設定項目自体がないので、DHCPに設定しておくことで、DHCPサーバを探させ、無いことが判明すればオートＩＰが働くという流れになっている。サブネットマスク（Subnet Mask）は、ＩＰネットワークにおいて、サブネットの分割を行うためのビット列である。ＩＰアドレスとサブネットマスクの論理積によりネットワークアドレスが得られる。
【００４０】
画像表示装置１のプロジェクタ６０にあって、設定情報４３はプロジェクタ６０の購入時に既にＲＯＭ内に接続アプリケーション４１、ドライバ４２と共に格納されている。情報端末装置２Ａにあって、設定情報４８は上述したように接続アプリケーション４６、ドライバ４７と共にＵＳＢメモリ４５からＨＤＤ等にインストールされる。
【００４１】
これら設定情報４３及び設定情報４８のうちワイヤレスネットワーク接続に必要な情報、つまり、ワイヤレス接続用モジュール４０及び４４の設定に関する情報は、画像表示装置１のプロジェクタ６０固有の情報、例えばシリアル番号などから作成されている。例えば、上記図５に示したネットワーク名である「ＰＪ−００５」は、画像表示装置１のプロジェクタ６０固有のシリアル番号「００００５」から作成されたものである。また、データの暗号化方法（ＷＥＰ）である「３８２６５４・・・」も上記固有のシリアル番号から生成された１２８ビットの暗号化鍵である。
【００４２】
以上をまとめると、設定情報４３及び４８のネットワーク名とデータの暗号化キーは、画像表示装置１のプロジェクタ６０固有の情報から決定され、これらの情報は他の設定情報と共に、工場出荷時に、画像表示装置１のプロジェクタ６０内のＲＯＭ及びＵＳＢメモリ４５に書き込まれているということになる。
【００４３】
情報端末装置２Ｂ，２Ｃは、情報端末装置２Ａと同様の方法により、無線ネットワークへ接続される。ただし、各情報端末装置２Ｂ，２Ｃ用のＵＳＢメモリ４５と、ワイヤレス接続用モジュール４４は、画像表示装置１のプロジェクタ６０購入時に同梱されている。もちろん、後日、ユーザが各ＵＳＢモジュールと、ワイヤレス接続用モジュールを購入するようにしてもよい。複数のＵＳＢメモリ４５に予め格納されている設定情報４８のうち、図５に示したワイヤレス接続用モジュール４４の設定に関する情報は、いずれも画像表示装置１のプロジェクタ６０固有の情報から生成されている。よって、複数の情報端末装置用に対してワイヤレス接続用モジュール４４の設定に関する情報は同じになる。設定情報４８のうち、残りの情報端末装置に関するＩＰアドレス、サブネットマスクは情報端末装置毎に固有のデータとなる。画像表示装置１のプロジェクタ６０は、固定のＩＰアドレスを持つが、複数の情報端末装置はオートＩＰ機能が働くことにより、自動的にＩＰアドレスが設定されるようになっている。ＩＰアドレスが変われば、サブネットマスクも自動的に異なる。
【００４４】
このように、画像表示装置１のユーザは、購入時に同梱されている複数のＵＳＢメモリ２７を複数の情報端末装置２Ａ，２Ｂ，２Ｃの各ＵＳＢジャックに挿入し、所定のインストール操作を行い、かつ複数のワイヤレス接続用モジュール４４を各他のＵＳＢジャックに挿入するだけで、画像表示装置１と複数の情報端末装置２Ａ，２Ｂ，２Ｃとを無線ネットワーク接続することができる。
【００４５】
また、図５に示した設定情報の内の、特に、ワイヤレスネットワーク接続に必要な情報のネットワーク名や、ＷＥＰキーは画像表示装置１のプロジェクタ６０固有のシリアル番号から予め生成されている。そして、上記設定方法を用いると自動的に複数の情報端末装置２Ａ，２Ｂ，２Ｃに設定されるので、従来のようにスクリーン５に表示する必要はない。このため、設定情報が第三者の目に触れないので、ネットワークへの第三者による不正な侵入、攻撃を防ぐことができ、もちろん暗号データの不正な復号も防ぐことができるので、セキュリティを確保できる。
【００４６】
図６は画像表示装置１のハードウェア構成を示す図である。ＣＰＵ６１にはバス６２を介してリードオンリーメモリ（ＲＯＭ）６３、ランダムアクセスメモリ（ＲＡＭ）６４が接続している。また、ＣＰＵ６１にはバス６２を介してスクリーン５に映像信号を投射する映像信号出力部６５、ワイヤレス接続用モジュール４０をインターフェースするＰＣＭＣＩＡ（Personal Computer Memory Card International Association）などのＩ／Ｆ６６、さらにはリモートコントロール用受光部６８も接続している。リモートコントロール用受光部６８は、リモートコントローラ６９からのリモートコントロール信号を受信する。ＲＯＭ６３には、既に出荷時に接続アプリケーション４１、ドライバ４２及び設定情報４３が格納されている。
【００４７】
スクリーン５は、図３に示したスクリーン５と同様のものである。ワイヤレス接続用モジュール４０は、同じく図３に示した通信モジュール４０の具体例である。ＲＯＭ６３又はＲＡＭ６４は、図３に示した保持部６３の具体例であり、無線ネットワークに接続したい情報端末装置を予め記憶している。ＣＰＵ６１は、同じく制御部６１の具体例であり、ＲＯＭ６３又はＲＡＭ６４により保持される情報端末装置を読み出す。映像信号出力部６５は、図３に示したのと同様であり、ＣＰＵ６１により読み出された情報端末装置をリスト７１としてスクリーン５に表示させるための映像信号を生成する。
【００４８】
リモートコントローラ６９は、図３に示した選択部６９の具体例であり、スクリーン５に表示されたリスト７１から一つの情報端末装置を選択する。また、リモートコントローラ６９を用いて、無線ネットワークへの接続設定、複数の情報端末装置への接続、切断の切り換え等の操作が行われる。
【００４９】
画像表示装置１には、上述したようにリモートコントロール用受光部６８が備えられているので、リモートコントローラ６９からの赤外線リモートコントロール信号を受信することができる。
【００５０】
ＣＰＵ６１は、リモートコントロール用受光部６８が受信したリモートコントロール信号に対応して、例えばＲＯＭ６３又はＲＡＭ６４に格納されているリモートコントロール信号の解読用データテーブルを参照し、コマンドを解読する。例えば、ユーザがリモートコントローラ６９を用いて、所望の情報端末装置を選択し、接続を要求すると、ＣＰＵ６１は、選択された情報端末装置に対して接続要求信号を生成し、Ｉ／Ｆ６６を介してワイヤレス接続用モジュール４０から該当する情報端末装置のワイヤレス接続用モジュール４４に送る。このため、無線ネットワーク接続の設定が可能になる。
【００５１】
また、ＣＰＵ６１は、リモートコントローラ６９を用いてユーザにより情報端末装置の切り換え、切断操作が行われると、そのコマンドを解読し、コマンドに応じた各送信信号を生成し、Ｉ／Ｆ６６を介してワイヤレス接続用モジュール４０から該当する情報端末装置のワイヤレス接続用モジュール４４に送る。このため、情報端末装置の切り換え、切断が画像表示装置１側の操作により可能になる。
【００５２】
また、リモートコントローラ６９は、画像表示装置１を通して、選択され接続されている情報端末装置２の表示部に表示している画像の送り／戻しを、遠隔操作により制御することもできる。この場合も、画像表示装置１のプロジェクタ６０は、リモートコントローラ６９からの赤外線リモートコントロール信号をリモートコントロール用受光部６８にて受信すると、ＣＰＵ６１が例えばＲＯＭ６３又はＲＡＭ６４に格納されているリモートコントロール信号の解読用テーブルを参照してコマンドを解読し、ＣＰＵ６１がコマンドに応じて各送信用コントロールデータを生成し、各送信用コントロールデータをＩ／Ｆ６６を介してワイヤレス接続用モジュール６７から情報端末装置２のワイヤレス接続用モジュール４４に送る。情報端末装置２は、ワイヤレス接続用モジュール４４によって受信した画面の送り／戻しのためのコントロールデータを解読し、自身の表示部に表示している画像情報を送り／戻しする。これに連動して、画像表示装置１のスクリーン５に投影されている画像も送り／戻しされる。
【００５３】
リモートコントローラ６９では、さらに、画像表示装置１のスクリーン５を黒くするといった制御も可能である。また、リモートコントローラ６９には、レーザポインタ機能を併用させてもよい。
【００５４】
また、リモートコントローラ６９から情報端末装置２上の画面の送り／戻し処理、スクリーン５を黒くする制御を行う機能、またレーザポインタ機能を独立させ、専用のプレゼンテーションツールを設けてもよい。
【００５５】
図７は情報端末装置２Ａ（２Ｂ，２Ｃも同様）のハードウェア構成を示す図である。ＣＰＵ２０にはバス２３を介してハードディスクドライブ（ＨＤＤ）２４、ランダムアクセスメモリ（ＲＡＭ）２５が接続している。また、ＣＰＵ２０にはバス２３を介してＵＳＢメモリ４５をインターフェースするＵＳＢＩ／Ｆ２６、ワイヤレス接続用モジュール４４をインターフェースするＩ／Ｆ２８が接続している。さらに、ＣＰＵ２０にはバス２３を介して上記自身の表示部である液晶表示装置ＬＣＤ２１をコントロールするＬＣＤコントローラ３０、キーボードやマウスなどの入力操作部２２をインターフェースするＩ／Ｆ３１も接続されている。
【００５６】
画像表示装置１側から上記接続要求信号や、切り換え、切断のための送信信号が送られてくると、情報端末装置２Ａにあっては、ワイヤレス接続用モジュール４４にて受信した各送信信号がＩ／Ｆ２８を介してＣＰＵ２０に渡され、ＣＰＵ２０にて処理される。同様にして、情報端末装置２Ａから画像表示装置１への送信信号の処理も行われる。
【００５７】
以下には、図６に示したハードウェア構成の画像表示装置１と図７に示したハードウェア構成の情報端末装置２Ａからなる画像表示システム１０の動作について説明する。
【００５８】
画像表示装置１のプロジェクタ６０と情報端末装置２Ａとを無線ネットワークに接続するための操作及び設定はユーザにより既に終了しているとする。つまり、ユーザが、ＵＳＢメモリ４５を情報端末装置２ＡのＵＳＢジャックに差し込んでから、セットアップファイルをマウスによりクリックすることにより、情報端末装置２Ａでは自動的にインストーラが起動し、接続アプリケーション４６、ドライバ４７及び設定情報４８がＨＤＤ２４内に自動的に収納されている。その後、ユーザがワイヤレス接続用モジュール４４を情報端末装置２ＡのＰＣカードスロットに差し込むことにより、無線ネットワークへの接続設定が終了し、既に起動されている画像表示装置１のプロジェクタ６０との間でデータの送受信が無線ネットワークを介して可能となっている。
【００５９】
先ず、ユーザが図６に示したリモートコントローラ６９の操作部上の所定のキー（ワイヤレス接続機能キー）を押したとする。すると、図８に示すように、接続可能な情報端末装置２Ａ，２Ｂ，２Ｃ・・・のリスト７１がＰＣ選択画面７０の中に表示される。ＰＣ選択画面７０は、スクリーンの一部に表示されてもよいし、全体に表示されてもよい。
【００６０】
ユーザがリスト７１の中からリモートコントローラ６９の操作部上の上又は下選択キーを押して、接続したい情報端末装置を選択し、決定（エンター）キーを押すと、画像表示装置１は選択された情報端末装置と接続する。図８のＰＣ選択画面７０内のリスト７１では、「○△××」さんのＰＣ−２Ａが選択されている。接続中は、接続マーク７２が選択された［「○△××」さんのＰＣ−２Ａ］の左側に表示される。また、現在接続されているＰＣがどれかという案内は、ＰＣ接続案内表示部７３にも表示される。ここでは、［「○△××」さんのＰＣ−２Ａ］７４と表示されている。
【００６１】
接続を切りたい場合には、リモートコントローラ６９の操作部上の上又は下選択キーを押して接続を切りたい情報端末装置を選択し、エンターキーを押せばよい。
【００６２】
次に、上記ＰＣ選択画面７０を用いたユーザによる操作に応じて画像表示装置１が行ういくつかの動作の具体例について図９〜図１５を参照して説明する。なお、図９〜図１５では、画像表示装置１のプロジェクタ６０と、パーソナルコンピュータ（ＰＣ）２Ａ、２Ｂとのシーケンス状態を示しているが、以下の説明ではパーソナルコンピュータ（ＰＣ）２Ａ、２Ｂと情報端末装置２Ａ、２Ｂとを同じに扱ってシーケンス状態を述べている。
【００６３】
画像表示装置１と情報端末装置２には、接続状態と切断状態が存在している。以下ではその状態に応じた処理について説明をする。
【００６４】
先ず、図９及び図１０を参照して画像表示装置１と情報端末装置２の状態が切断中から遷移する場合について説明する。ユーザがリモートコントローラ６９の上記所定のキー操作により画像表示装置１のスクリーン５にＰＣ選択画面７０を表示する。さらに、ユーザがリモートコントローラ６９の上又は下選択キーを押して接続する情報端末装置を選択し、決定（エンター）キーを押して接続する情報端末装置を選択決定する。
【００６５】
図９は、情報端末装置２Ａが画像表示装置１のプロジェクタ６０からの接続要求を受諾するときのシーケンス図である。図９のシーケンス図において、画像表示装置１のプロジェクタ６０のＣＰＵ６１がリモートコントローラ６９によって選択された情報端末装置２Ａに対して生成した接続要求信号は、Ｉ／Ｆ６６を介してワイヤレス接続用モジュール４０に渡され、ワイヤレス接続用モジュール４０から該当する情報端末装置２Ａのワイヤレス接続用モジュール４４に送信される（ステップＳ１）。
【００６６】
上記ステップＳ１にて接続要求信号が送られた情報端末装置２Ａは、接続要求信号をワイヤレス接続用モジュール４４にて受信する（ステップＳ２）。情報端末装置２ＡのＣＰＵ２０は、ワイヤレス接続用モジュール４４にて受信した接続要求信号をＩ／Ｆ２８を介して受け取る。そして、ＣＰＵ２０は、接続待機信号を生成し、Ｉ／Ｆ２８を介してワイヤレス接続用モジュール４４に渡す。ワイヤレス接続用モジュール４４は、接続待機信号をプロジェクタ６０のワイヤレス接続用モジュール４０に送信する（ステップＳ３）。
【００６７】
プロジェクタ６０のＣＰＵ６１は、ワイヤレス接続用モジュール４０にて受信した上記接続待機信号を解読すると、ステップＳ４にて接続要求結果待ちの状態になる。
【００６８】
情報端末装置２Ａは、上記接続待機信号を送信した後、ＣＰＵ２０にて接続要求確認処理を行い（ステップＳ５）、現在、プロジェクタ６０との接続が可能な状態であるか否かを判定する。
【００６９】
このステップＳ５の判定にて、ＣＰＵ２０が接続が可能な状態であると判定すると、上記接続要求を受諾すべきことを接続要求確認ＯＫとして決定する（ステップＳ６）。ＣＰＵ２０は、接続要求確認ＯＫという決定に基づいて受諾応答信号である接続応答信号を生成し、Ｉ／Ｆ２８を介してワイヤレス接続用モジュール４４に渡す。ワイヤレス接続用モジュール４４は、上記接続応答信号をプロジェクタ６０のワイヤレス接続用モジュール４０に送信する（ステップＳ７）。
【００７０】
その後、情報端末装置２ＡのＣＰＵ２０がステップＳ８にて接続処理を実行すると情報端末装置２Ａとプロジェクタ６０が接続される。これにより、選択された情報端末装置２Ａは、画像情報信号をＩ／Ｆ２８を介してワイヤレス接続用モジュール４４からプロジェクタ６０のワイヤレス接続用モジュール４０に送信する。
【００７１】
プロジェクタ６０のワイヤレス接続用モジュール４０は、情報端末装置２Ａから送信されてきた画像情報を受信する。ＣＰＵ６１は、Ｉ／Ｆ６６を介して上記画像情報を受け取り、これを基に映像信号出力部６５により上記画像情報に基づいた映像信号を出力させ、スクリーン５に情報端末装置２Ａの画像を投影表示する。そして、ステップＳ９にてプロジェクタ６０側では接続中となる。
【００７２】
このように、画像表示装置１の通信手段であるワイヤレス接続用モジュール４０は、ＣＰＵ６１が生成した接続要求信号を情報端末装置２Ａに送信し、情報端末装置２Ａから受諾応答信号を受信したのちに上記画像情報を受信する。
【００７３】
また、情報端末装置２Ａは、図１０に示すように、画像表示装置１のプロジェクタ６０からの接続要求を拒否することもできる。図１０のシーケンス図において、プロジェクタ６０のＣＰＵ６１がリモートコントローラ６９によって選択された情報端末装置２Ａに対して生成した接続要求信号は、Ｉ／Ｆ６６を介してワイヤレス接続用モジュール４０に渡され、ワイヤレス接続用モジュール４０から該当する情報端末装置２Ａのワイヤレス接続用モジュール４４に送信される（ステップＳ１）。
【００７４】
上記ステップＳ１にて接続要求信号が送られた情報端末装置２Ａは、接続要求信号をワイヤレス接続用モジュール４４にて受信する（ステップＳ２）。情報端末装置２ＡのＣＰＵ２０は、ワイヤレス接続用モジュール４４にて受信した接続要求信号をＩ／Ｆ２８を介して受け取る。そして、ＣＰＵ２０は、接続待機信号を生成し、Ｉ／Ｆ２８を介してワイヤレス接続用モジュール４４に渡す。ワイヤレス接続用モジュール４４は、接続待機信号をプロジェクタ６０のワイヤレス接続用モジュール４４に送信する（ステップＳ３）。
【００７５】
プロジェクタ６０のＣＰＵ６１は、ワイヤレス接続用モジュール４０にて受信した上記接続待機信号を解読すると、ステップＳ４にて接続要求結果待ちの状態になる。
【００７６】
情報端末装置２Ａは、上記接続待機信号を送信した後、ＣＰＵ２０にて接続要求確認処理を行い（ステップＳ５）、現在、プロジェクタ６０との接続が可能な状態であるか否かを判定する。
【００７７】
このステップＳ５の判定にて、ＣＰＵ２０が接続が可能な状態でないと判定すると、上記接続要求を拒否すべきことを接続要求確認ＮＧとして決定する（ステップＳ６’）。ＣＰＵ２０は、接続要求確認ＮＧという決定に基づいて接続拒否信号を生成し、Ｉ／Ｆ２８を介してワイヤレス接続用モジュール４４に渡す。ワイヤレス接続用モジュール４４は、上記接続拒否信号をプロジェクタ６０のワイヤレス接続用モジュール４０に送信する（ステップＳ７’）。
【００７８】
これにより、画像表示装置１のプロジェクタ６０は、接続要求結果待ちから切断中を継続する。また、情報処理端末２Ａも切断中を継続する。この場合、画像転送は行われない。
【００７９】
このように、画像表示装置１のプロジェクタ６０が、リモートコントローラ６９により選択された情報端末装置２Ａからワイヤレス接続用モジュール４０を介して接続拒否信号を受信したとき、ＣＰＵ６１は、選択された情報端末装置２Ａに接続する処理を行わない。また、このとき、ＣＰＵ６１は、図８に示したＰＣ選択画面７０内のＰＣ接続案内表示部７３に「情報端末装置２Ａに接続できません。」というように、選択された情報端末装置２Ａに接続できないことを表示するように、映像信号出力部６５を制御するようにしてもよい。また、ＰＣ選択画面７０を自動的に消去することも出来る。
【００８０】
次に、図１１及び図１２を参照して画像表示装置１と情報端末装置２が接続していた状態から切断する場合について説明する。ユーザがリモートコントローラ６９の上記所定のキー操作により画像表示装置１のスクリーン５にＰＣ選択画面７０を表示する。ユーザがリモートコントローラ６９の上又は下選択キーを押して切断する情報端末装置を選択し、決定（エンター）キーを押して切断したい情報端末装置を選択決定する。
【００８１】
図１１は、情報端末装置２Ａが画像表示装置１のプロジェクタ６０からの切断要求を受諾するときのシーケンス図である。図１１のシーケンス図において、画像表示装置１のプロジェクタ６０のＣＰＵ６１がリモートコントローラ６９によって切断要求が出された情報端末装置２Ａに対して生成した切断要求信号は、Ｉ／Ｆ６６を介してワイヤレス接続用モジュール４０に渡され、ワイヤレス接続用モジュール４０から該当する情報端末装置２Ａのワイヤレス接続用モジュール４４に送信される（ステップＳ１１）。
【００８２】
上記ステップＳ１１にて切断要求信号が送られた情報端末装置２Ａは、切断要求信号をワイヤレス接続用モジュール４４にて受信する（ステップＳ１２）。情報端末装置２ＡのＣＰＵ２０は、ワイヤレス接続用モジュール４４にて受信した切断要求信号をＩ／Ｆ２８を介して受け取る。ＣＰＵ２０は、切断待機信号を生成し、Ｉ／Ｆ２８を介してワイヤレス接続用モジュール４４に渡す。ワイヤレス接続用モジュール４４は、切断待機信号をプロジェクタ６０のワイヤレス接続用モジュール４０に送信する（ステップＳ１３）。
【００８３】
プロジェクタ６０のＣＰＵ６１は、ワイヤレス接続用モジュール４０にて受信した上記切断待機信号を解読すると、ステップＳ１４にて切断要求結果待ちの状態になる。
【００８４】
情報端末装置２Ａは、上記切断待機信号を送信した後、ＣＰＵ２０にて切断要求確認処理を行い（ステップＳ１５）、現在、プロジェクタ６０との切断が可能な状態であるか否かを判定する。
【００８５】
このステップＳ１５の判定にて、ＣＰＵ２０が切断が可能な状態であると判定すると、上記切断要求を受諾すべきことを切断要求確認ＯＫとして決定する（ステップＳ１６）。ＣＰＵ２０は、切断要求確認ＯＫという決定に基づいて切断応答信号を生成し、Ｉ／Ｆ２８を介してワイヤレス接続用モジュール４４に渡す。ワイヤレス接続用モジュール４４は、上記切断応答信号をプロジェクタ６０のワイヤレス接続用モジュール４０に送信する（ステップＳ１７）。
【００８６】
その後、情報端末装置２ＡのＣＰＵ２０がステップＳ１８にて切断処理を実行すると情報端末装置２Ａとプロジェクタ６０が切断され、情報端末装置２Ａからプロジェクタ６０への画像情報の転送は終了し、画像表示装置１のプロジェクタ６０はスクリーン５に情報端末装置２Ａの画像を投影表示するのを終える。ステップＳ１９にてプロジェクタ６０側では切断中となる。
【００８７】
また、情報端末装置２Ａは、図１２に示すように、画像表示装置１のプロジェクタ６０からの切断要求を拒否することもできる。図１２のシーケンス図において、プロジェクタ６０のＣＰＵ６１がリモートコントローラ６９によって切断要求が出された情報端末装置２Ａに対して生成した切断要求信号は、Ｉ／Ｆ６６を介してワイヤレス接続用モジュール４０に渡され、ワイヤレス接続用モジュール４０から該当する情報端末装置２Ａのワイヤレス接続用モジュール４４に送信される（ステップＳ１１）。
【００８８】
上記ステップＳ１１にて切断要求信号が送られた情報端末装置２Ａは、切断要求信号をワイヤレス接続用モジュール４４にて受信する（ステップＳ１２）。情報端末装置２ＡのＣＰＵ２０は、ワイヤレス接続用モジュール４４にて受信した切断要求信号をＩ／Ｆ２８を介して受け取る。ＣＰＵ２０は、切断待機信号を生成し、Ｉ／Ｆ２８を介してワイヤレス接続用モジュール４４に渡す。ワイヤレス接続用モジュール４４は、切断待機信号をプロジェクタ６０のワイヤレス接続用モジュール４０に送信する（ステップＳ１３）。
【００８９】
プロジェクタ６０のＣＰＵ６１は、ワイヤレス接続用モジュール４０にて受信した上記切断待機信号を解読すると、ステップＳ１４にて切断要求結果待ちの状態になる。
【００９０】
情報端末装置２Ａは、上記切断待機信号を送信した後、ＣＰＵ２０にて切断要求確認処理を行い（ステップＳ１５）、現在、プロジェクタ６０との切断が可能な状態であるか否かを判定する。
【００９１】
このステップＳ１５の判定にて、ＣＰＵ２０が切断が可能な状態でないと判定すると、上記切断要求を拒否すべきことを切断要求確認ＮＧとして決定する（ステップＳ１６’）。ＣＰＵ２０は、切断要求確認ＮＧという決定に基づいて切断拒否信号を生成し、Ｉ／Ｆ２８を介してワイヤレス接続用モジュール４４に渡す。ワイヤレス接続用モジュール４４は、上記切断拒否信号をプロジェクタ６０のワイヤレス接続用モジュール４０に送信する（ステップＳ１７’）。
【００９２】
これにより、画像表示装置１のプロジェクタ６０は、切断要求結果待ちから接続中を継続する。情報端末装置２Ａからプロジェクタ６０への画像情報の転送は継続し、画像表示装置１のプロジェクタ６０はスクリーン５に情報端末装置２Ａの画像を投影表示し続ける。また、このとき、ＣＰＵ６１は、図８に示したＰＣ選択画面７０内のＰＣ接続案内表示部７３に「情報端末装置２Ａと切断できません。」というように、切断しようとした情報端末装置２Ａと切断できないことを表示するように、映像信号出力部６５を制御するようにしてもよい。また、ＰＣ選択画面７０を自動的に消去することも出来る。
【００９３】
次に、図１３、図１４及び図１５を参照し、画像表示装置１のプロジェクタ６０と情報端末装置２Ａが接続状態にあるとき、現在接続している情報端末装置２Ａに切断要求を出し、他の情報処理端末２Ｂに接続要求を出す場合について説明する。
【００９４】
図１３は、情報端末装置２Ａが画像表示装置１のプロジェクタ６０からの切断要求を受諾し、かつ情報端末装置２Ｂが上記プロジェクタ６０からの接続要求を受諾して、画像表示装置１のプロジェクタ６０と情報端末装置２Ｂが接続されるときのシーケンス図である。
【００９５】
リモートコントローラ６９を用いて画像表示装置１のスクリーン５にＰＣ選択画面７０を表示する。ユーザがリモートコントローラ６９を用いて、接続を切り換える情報端末装置２Ｂを選択する。すると、画像表示装置１のプロジェクタ６０のＣＰＵ６１は、現在接続されている情報端末装置２Ａに対する切断要求信号を生成し、Ｉ／Ｆ６６を介してワイヤレス接続用モジュール４０に渡し、ワイヤレス接続用モジュール４０から該当する情報端末装置２Ａのワイヤレス接続用モジュール４４に送信する（ステップＳ２１）。
【００９６】
上記ステップＳ２１にて切断要求信号が送られた情報端末装置２Ａは、切断要求信号をワイヤレス接続用モジュール４４にて受信する（ステップＳ２２）。情報端末装置２ＡのＣＰＵ２０は、ワイヤレス接続用モジュール４４にて受信した切断要求信号をＩ／Ｆ２８を介して受け取る。ＣＰＵ２０は、切断待機信号を生成し、Ｉ／Ｆ２８を介してワイヤレス接続用モジュール４４に渡す。ワイヤレス接続用モジュール４４は、切断待機信号をプロジェクタ６０のワイヤレス接続用モジュール４０に送信する（ステップＳ２３）。
【００９７】
プロジェクタ６０のＣＰＵ６１は、ワイヤレス接続用モジュール４０にて上記切断待機信号を受信し、それを解読すると、ステップＳ２４にて切断要求結果待ちの状態になる。
【００９８】
情報端末装置２Ａは、上記切断待機信号を送信した後、ＣＰＵ２０にて切断要求確認処理を行い（ステップＳ２５）、現在、プロジェクタ６０との切断が可能な状態であるか否かを判定する。
【００９９】
このステップＳ２５の判定にて、ＣＰＵ２０が切断が可能な状態であると判定すると、上記切断要求を受諾すべきことを切断要求確認ＯＫとして決定する（ステップＳ２６）。情報端末装置２ＡのＣＰＵ２０は、切断要求確認ＯＫという決定に基づいて切断応答信号を生成し、Ｉ／Ｆ２８を介してワイヤレス接続用モジュール４４に渡す。ワイヤレス接続用モジュール４４は、上記切断応答信号をプロジェクタ６０のワイヤレス接続用モジュール４０に送信する（ステップＳ２７）。
【０１００】
その後、情報端末装置２ＡのＣＰＵ２０がステップＳ２８にて切断処理を実行すると情報端末装置２Ａとプロジェクタ６０が切断され、情報端末装置２Ａからプロジェクタ６０への画像情報の転送は終了し、画像表示装置１のプロジェクタ６０はスクリーン５に情報端末装置２Ａの画像を投影表示するのを終える。ステップＳ２９にてプロジェクタ６０側では切断中となる。これにより、プロジェクタ６０から情報端末装置２ＡにはステップＳ３０にて切断処理終了通知が送信される。情報端末装置２ＡはステップＳ３１にて切断中となる。
【０１０１】
次に、プロジェクタ６０のＣＰＵ６１は、リモートコントローラ６９により接続の切り換えに選択された情報端末装置２Ｂに対する接続要求信号を生成し、Ｉ／Ｆ６６を介してワイヤレス接続用モジュール４０に渡し、ワイヤレス接続用モジュール４０から該当する情報端末装置２Ｂのワイヤレス接続用モジュール４４に送信する（ステップＳ３２）。
【０１０２】
このように、リモートコントローラ６９により、現在接続している情報端末装置２Ａから他の情報端末装置２Ｂに接続を切り換える選択が行われたとき、プロジェクタ６０のＣＰＵ６１は、現在接続している情報端末装置２Ａに切断要求信号をワイヤレス接続用モジュール４０を介して送信し、上記接続している情報端末装置２Ａから受諾応答信号（切断応答信号）を受信し、接続が切断された後に、他の情報端末装置２Ｂに接続要求信号を送信する。
【０１０３】
上記ステップＳ３２にて接続要求信号が送られた情報端末装置２Ｂは、接続要求信号をワイヤレス接続用モジュール４４にて受信する（ステップＳ３３）。情報端末装置２ＢのＣＰＵ２０は、ワイヤレス接続用モジュール４４にて受信した接続要求信号をＩ／Ｆ２８を介して受け取る。そして、ＣＰＵ２０は、接続待機信号を生成し、Ｉ／Ｆ２８を介してワイヤレス接続用モジュール４４に渡す。ワイヤレス接続用モジュール４４は、接続待機信号をプロジェクタ６０のワイヤレス接続用モジュール４０に送信する（ステップＳ３４）。
【０１０４】
プロジェクタ６０のＣＰＵ６１は、ワイヤレス接続用モジュール４０にて受信した上記接続待機信号を解読すると、ステップＳ３５にて接続要求結果待ちの状態になる。
【０１０５】
情報端末装置２Ｂは、上記接続待機信号を送信した後、ＣＰＵ２０にて接続要求確認処理を行い（ステップＳ３６）、現在、プロジェクタ６０との接続が可能な状態であるか否かを判定する。
【０１０６】
このステップＳ３６の判定にて、ＣＰＵ２０が接続が可能な状態であると判定すると、上記接続要求を受諾すべきことを接続要求確認ＯＫとして決定する（ステップＳ３７）。ＣＰＵ２０は、接続要求確認ＯＫという決定に基づいて接続応答信号を生成し、Ｉ／Ｆ２８を介してワイヤレス接続用モジュール４４に渡す。ワイヤレス接続用モジュール４４は、上記接続応答信号をプロジェクタ６０のワイヤレス接続用モジュール４０に送信する（ステップＳ３８）。
【０１０７】
その後、情報端末装置２ＢのＣＰＵ２０がステップＳ３９にて接続処理を実行すると情報端末装置２Ｂとプロジェクタ６０が接続され、情報端末装置２Ｂからプロジェクタ６０に画像情報の転送を始め、画像表示装置１のプロジェクタ６０はスクリーン５に情報端末装置２Ｂの画像を投影表示する。ステップＳ４０にてプロジェクタ６０側では接続中となる。
【０１０８】
もちろん、図１３に示した例でも、プロジェクタ６０のワイヤレス接続用モジュール４０は、ＣＰＵ６１が生成した接続要求信号に対応する情報端末装置２Ｂからの受諾応答信号を受信したのちに、情報端末装置２Ｂからの画像情報を受信する。
【０１０９】
図１４は、情報端末装置２Ａが画像表示装置１からの切断要求を受諾したが情報端末装置２Ｂが画像表示装置からの接続要求を拒否した場合のシーケンス図である。
【０１１０】
図１４において、画像表示装置１のプロジェクタ６０と情報端末装置２Ａとの間で行われるステップＳ２１からステップＳ３１までの処理は上記図１３の場合と同様であるので説明を省略する。
【０１１１】
次に、図１４のシーケンス図において、プロジェクタ６０のＣＰＵ６１がリモートコントローラ６９によって接続切り換えのために選択された情報端末装置２Ｂに対して生成した接続要求信号は、Ｉ／Ｆ６６を介してワイヤレス接続用モジュール４０に渡され、ワイヤレス接続用モジュール４０から該当する情報端末装置２Ｂのワイヤレス接続用モジュール４４に送信される（ステップＳ３２）。
【０１１２】
ここでも、リモートコントローラ６９により、現在接続している情報端末装置２Ａから他の情報端末装置２Ｂに接続を切り換える選択が行われたとき、プロジェクタ６０のＣＰＵ６１は、現在接続している情報端末装置２Ａに切断要求信号をワイヤレス接続用モジュール４０を介して送信し、上記接続している情報端末装置２Ａから受諾応答信号（切断応答信号）を受信し、接続が切断された後に、他の情報端末装置２Ｂに接続要求信号を送信する。
【０１１３】
上記ステップＳ３２にて接続要求信号が送られた情報端末装置２Ｂは、接続要求信号をワイヤレス接続用モジュール４４にて受信する（ステップＳ３３）。情報端末装置２ＢのＣＰＵ２０は、ワイヤレス接続用モジュール４４にて受信した接続要求信号をＩ／Ｆ２８を介して受け取る。そして、ＣＰＵ２０は、接続待機信号を生成し、Ｉ／Ｆ２８を介してワイヤレス接続用モジュール４４に渡す。ワイヤレス接続用モジュール４４は、接続待機信号をプロジェクタ６０のワイヤレス接続用モジュール４０に送信する（ステップＳ３４）。
【０１１４】
プロジェクタ６０のＣＰＵ６１は、ワイヤレス接続用モジュール４０にて受信した上記接続待機信号を解読すると、ステップＳ３５にて接続要求結果待ちの状態になる。
【０１１５】
情報端末装置２Ｂは、上記接続待機信号を送信した後、ＣＰＵ２０にて接続要求確認処理を行い（ステップＳ３６）、現在、プロジェクタ６０との接続が可能な状態であるか否かを判定する。
【０１１６】
このステップＳ３６の判定にて、ＣＰＵ２０が接続が可能な状態でないと判定すると、上記接続要求を拒否すべきことを接続要求確認ＮＧとして決定する（ステップＳ３７’）。ＣＰＵ２０は、接続要求確認ＮＧという決定に基づいて接続拒否信号を生成し、Ｉ／Ｆ２８を介してワイヤレス接続用モジュール４４に渡す。ワイヤレス接続用モジュール４４は、上記接続拒否信号をプロジェクタ６０のワイヤレス接続用モジュール４０に送信する（ステップＳ３８’）。
【０１１７】
これにより、画像表示装置１のプロジェクタ６０は、接続要求結果待ちから切断中を継続する。また、情報処理端末２Ｂも切断中を継続する。この場合、画像情報の転送は行われない。つまり、画像表示装置１、情報端末装置２Ａ及び情報端末装置２Ｂの全てで切断中となる。
このように、画像表示装置１のプロジェクタ６０が、リモートコントローラ６９により接続を切り換えるのに選択された情報端末装置２Ｂからワイヤレス接続用モジュール４０を介して接続拒否信号を受信したとき、ＣＰＵ６１は、選択された情報端末装置２Ｂに接続する処理を行わない。また、このとき、ＣＰＵ６１は、図８に示したＰＣ選択画面７０内のＰＣ接続案内表示部７３に「情報端末装置２Ｂに接続できません。」というように、選択された情報端末装置２Ｂに接続できないことを表示するように、映像信号出力部６５を制御するようにしてもよい。また、ＰＣ選択画面７０を自動的に消去することも出来る。
【０１１８】
また、画像表示装置１にあって、リモートコントローラ６９の選択により、現在接続している情報端末２Ａから他の情報端末装置２Ｂに接続を切り換えるとき、ＣＰＵ６１は既に接続している情報端末装置２Ａに切断要求信号をワイヤレス接続用モジュール４０を介して送信したのち、上記接続している情報端末装置２Ａから受諾応答信号を受信するまでは、上記他の情報端末装置２Ｂに接続要求信号を保留することになる。
【０１１９】
図１５は、情報端末装置２Ａが画像表示装置１からの切断要求を拒否したときのシーケンス図である。図１５のシーケンス図において、プロジェクタ６０のＣＰＵ６１がリモートコントローラ６９によって切断要求が出された情報端末装置２Ａに対して生成した切断要求信号は、Ｉ／Ｆ６６を介してワイヤレス接続用モジュール４０に渡され、ワイヤレス接続用モジュール４０から該当する情報端末装置２Ａのワイヤレス接続用モジュール４４に送信される（ステップＳ５１）。
【０１２０】
上記ステップＳ５１にて切断要求信号が送られた情報端末装置２Ａは、切断要求信号をワイヤレス接続用モジュール４４にて受信する（ステップＳ５２）。情報端末装置２ＡのＣＰＵ２０は、ワイヤレス接続用モジュール４４にて受信した切断要求信号をＩ／Ｆ２８を介して受け取る。ＣＰＵ２０は、切断待機信号を生成し、Ｉ／Ｆ２８を介してワイヤレス接続用モジュール４４に渡す。ワイヤレス接続用モジュール４４は、切断待機信号をプロジェクタ６０のワイヤレス接続用モジュール４０に送信する（ステップＳ５３）。
【０１２１】
プロジェクタ６０のＣＰＵ６１は、ワイヤレス接続用モジュール４０にて受信した上記切断待機信号を解読すると、ステップＳ５４にて切断要求結果待ちの状態になる。
【０１２２】
情報端末装置２Ａは、上記切断待機信号を送信した後、ＣＰＵ２０にて切断要求確認処理を行い（ステップＳ５５）、現在、プロジェクタ６０との切断が可能な状態であるか否かを判定する。
【０１２３】
このステップＳ５５の判定にて、ＣＰＵ２０が切断可能な状態でないと判定すると、上記切断要求を拒否すべきことを切断要求確認ＮＧとして決定する（ステップＳ５６）。ＣＰＵ２０は、切断要求確認ＮＧという決定に基づいて切断拒否信号を生成し、Ｉ／Ｆ２８を介してワイヤレス接続用モジュール４４に渡す。ワイヤレス接続用モジュール４４は、上記切断拒否信号をプロジェクタ６０のワイヤレス接続用モジュール４０に送信する（ステップＳ５７）。
【０１２４】
これにより、画像表示装置１のプロジェクタ６０は、切断要求結果待ちから接続中を継続する。情報端末装置２Ａも接続中となり、プロジェクタ６０への画像情報の転送は継続し、画像表示装置１のプロジェクタ６０はスクリーン５に情報端末装置２Ａの画像を投影表示し続ける。また、画像表示装置１が接続を要求したかった情報端末装置２Ｂは、切断を継続することになる。
【０１２５】
このとき、ＣＰＵ６１は、図８に示したＰＣ選択画面７０内のＰＣ接続案内表示部７３に「情報端末装置２Ａと切断できません。」というように、切断しようとした情報端末装置２Ａと切断できないことを表示するように、映像信号出力部６５を制御するようにしてもよい。また、ＰＣ選択画面７０を自動的に消去することも出来る。
【０１２６】
以上に説明したように、画像表示システム１０は、画像表示装置１のプロジェクタ６０に対するリモートコントローラ６９を使った操作により、ネットワーク接続されている複数の情報端末装置のうちの所望の情報端末装置を切り換え選択し、所望の情報端末装置からの画像情報を表示部に表示することができる。つまり、情報端末装置が無線ネットワーク接続されていれば、容易にスクリーン５に画像を切り換えて表示することができる。また、画像表示装置１のスクリーン５からネットワークに接続された情報端末装置を確認できる。さらに、画像表示装置１のリモートコントローラ６９からの操作のみで、スクリーン５上に画像を写し出す情報端末装置を切り換えることができるので、例えばプレゼンテーションを行う発表者が順番に複数いる場合でも、順番にしたがって各発表者が各情報端末装置にて出力オン／オフの操作を行うことがなくなるので、次の発表までの時間の空きがなくなり、プレゼンテーションを速やかに進めることができる。
【０１２７】
本発明は、上記図１に構成を示した画像表示システム１０にのみ適用が限定される訳ではない。図１６は本発明が適用される画像表示システム１０の他の具体例を示す図である。
【０１２８】
この他の画像表示システム１０は、画像表示装置１と情報端末装置２Ａ，２Ｂ，２Ｃとを、IEEE802.11bに準拠したアクセスポイント３を介して無線ネットワーク接続するシステムである。情報端末装置２Ａ，２Ｂ，２Ｃは、いずれも、図７を参照して説明した情報端末装置２と同様の構成を有するものであり、ＬＡＮ４にて接続されている。
【０１２９】
図１７は、他の画像表示システム１０における画像表示装置１の設定項目の入力動作を説明するために用いた構成図である。先ず、ユーザがプロジェクタ６０の所定のスロットに図４に示したワイヤレス接続用モジュール４０を装着する。この状態で、画像表示装置１の電源が入れられる。次に、ユーザがリモートコントローラ６９の操作部６９ａ内に設けられた所定のキー（ワイヤレス接続機能キー）を押す。すると、スクリーン５には、設定メニュー画面１００が表示される。設定メニュー画面１００には、図１８に示すようなシンプルモードのオン／オフ選択部がある。
【０１３０】
図１８は、設定メニュー画面１００の一例を示す図である。この図１８に示すように、画像表示装置１の無線接続の設定項目（内容）は複雑である。設定メニュー画面１００には、先ず、ユーザ名入力部１０３が設けられる。ユーザ１からユーザ５まで、５個のメモリに対応した５つのユーザ名が設定できる。各ユーザ名毎に各種設定内容を保存できる。つまり、複数の設定が保存できるようになっている。リモートコントローラ６９の操作部６９ａの例えば左右上下カーソルキーとエンターキーを用いて選択アイコン１０４を操作することにより５つのユーザ名が選択可能である。従来は、ワイヤレスネットワーク設定等がある場合でも、画像表示装置１内部では設定は一つしかもてなかったため、設定変更を行う場合に、毎回入力する必要があった。本発明では、上述したように、複数の設定の保存が可能ため、予め画像表示装置１を使用する場所別に設定を用意しておくとメモリ（ＲＡＭ６４）の切り換えのみでワイヤレスが使用可能となる。つまり、画像表示装置１の使用環境に基づいてユーザが上記入力操作を用いて選択決定した相互に異なる複数の文字列を記憶手段（ＲＡＭ６４）に記憶するので、予め画像表示装置１を使用する場所別に設定を用意しておき、メモリ（ＲＡＭ６４）の切り換えのみで適切なワイヤレスネットワーク接続の設定項目入力が使用可能となる。
【０１３１】
ワイヤレスモードセッティング項目１０５はネットワークモードのことであり、アクセスポイントに接続するモード（アクセスポイント接続モード）なのか、或いはある機器に対して１対１で接続するモード（アドホックモード）なのかを選択アイコン１０７の操作により選択出来るモードである。ここでは、アクセスポイント経由接続１０６が選択されている。
【０１３２】
ESSID設定項目１０８は、ネットワーク名(SSID）を識別するための項目であり、ネットワークの名前である。画像表示装置１の固有の名前となる。ここでは、シリアルの番号「１２３４」１０９とされている。接続するコンピュータ又はアクセスポイントと同じ文字を入力する。半角英数字で最大３２文字まで入力可能である。
【０１３３】
ワイヤレスチャンネル設定項目１１０は、ネットワークチャンネル、つまり使用する周波数帯域を入力するための項目である。ネットワークモードを「アドホック（ピアトゥピア）」に設定した場合、例えば「１」から「１１」までのチャンネルを、選択アイコン１１２により選択できる。「アクセスポイント経由接続（ワイヤレスアクセスポイント）」に設定した場合「自動」１１１に設定される。
【０１３４】
ＷＥＰ暗号化タイプ設定項目１１３は、データの暗号化通信の方法を選択する項目である。データの暗号化（ＷＥＰ）は、本システムが無線ネットワークを構成しているので、データ傍受の危険性からデータを守るために必要である。「切」、「64(40)bitASCII」、「128(104)bitASCII」、「64(40)bitHEX」、「128(104)bitHEX」から選択される。このＷＥＰ暗号化タイプ設定項目１１３で、ユーザが選択アイコン１１５を用いて上記いずれかの暗号化方法を選択すると、キー（key）設定項目１１６の入力エリア１１７に入力可能な文字数と文字種が決定される。ユーザが選択アイコン１１５にて「128(104)bitHEX」１１４を選択したのであれば、キー（key）設定項目１１６の入力エリア１１７には128(104)bitHEXに応じた文字数と文字種の入力が可能となる。
【０１３５】
キー（key）設定項目１１６は、ＷＥＰ暗号化タイプ設定項目１１３にてデータの暗号化の機能を使う場合に、キーの入力に用いられる。入力されたキーは、アスタリスク表示１１７となる。接続するコンピュータ又はアクセスポイントと同じキーが入力される。使用できる文字種や文字数には制限がかけられる。入力文字数は、データの暗号化の設定によって異なる。ＷＥＰ暗号化タイプ設定項目１１３にて「64(40)bitASCII」が選択されれば、入力可能文字数は半角英数字及び半角記号（「0〜9」、「A〜Z」、「a〜z」）で５文字となる。「128(104)bitASCII」が選択されれば、入力可能文字数は半角英数字及び半角記号（「0〜9」、「A〜Z」、「a〜z」）で１３文字となる。「64(40)bitHEX」が選択されれば、入力可能文字数は「0〜9」、「a〜f」の組み合わせで１０文字となる。128(104)bitHEXが選択されれば、入力可能文字数は「0〜9」、「a〜f」の組み合わせで２６文字となる。このようにキー（key）設定項目１１６では、使用できる文字種や文字数に制限を設けたので、必要のない文字を表示しないようにすることができる。従来は、入力制限があっても、入力自体は行えるようになっていた。本発明では、入力可能な文字種のみを候補として表示するので、入力不可能な文字を入力した場合の再入力の必要がなくなる。
【０１３６】
このキー（key）設定項目１１６における、ＷＥＰキーの入力では、リモートコントローラ６９の操作部６９ａの上／下キーを押すことで入力する文字の選択を行い、操作部６９ａの左／右キーをおすことで位置変更及び文字決定を行い、操作部６９ａの決定キーを押すことで全体の決定を行う。
【０１３７】
以上のワイヤレスモードセッティング、ネットワーク名、ワイヤレスチャンネル、データの暗号化方法は、ワイヤレス接続用モジュール４０の設定に関する情報である。
【０１３８】
ＩＰアドレスセッティング項目１１８は、画像表示装置１のプロジェクタ６０のインターネットプロトコル（Internet Protocol:ＩＰ）アドレス設定の「自動（DHCP）」、「手動」をユーザに選択させる項目である。ここでは、選択アイコン１２０によりオートＩＰ（Auto IP(DHCP)）１１９が選択されている。画像表示装置１のプロジェクタ６０は、無線ネットワークにおけるDHCPサーバではないが、元々オートＩＰという設定項目自体がないので、DHCPに設定しておくことで、DHCPサーバを探させ、無いことが判明すればオートＩＰが働くという流れになっている。「手動」が選択されたときには、この画面のＩＰアドレス設定部１２１、サブネットマスク設定部１２３、デフォルトゲートウェイ設定部１２５を設定する必要がある。
【０１３９】
ＩＰアドレス設定部１２１は、画像表示装置１のプロジェクタ６０のＩＰアドレスの設定を0〜255の数字から選択して入力エリア１２２に入れる。サブネットマスク設定部１２３は、画像表示装置１のサブネットマスクの設定を0〜255の数字から選択して入力エリア１２４に入れる。デフォルトゲートウェイ設定部１２５は、画像表示装置１のデフォルトゲートウェイの設定を0〜255の数字から選択して入力エリア１２６に入れる。
【０１４０】
ＭＡＣ（Media Access Control）アドレス設定部１２７は、セットしたワイヤレスモジュールのＭＡＣアドレスを表示部１２８に表示する。
【０１４１】
以上に説明した各項目の設定内容を保存するとき、ユーザは「ＯＫ」ボタン１２９を選択して、エンターキーを押せばよい。すると、設定内容が保存される。また、設定を保存せず、設定メニューを消去するとき、ユーザは「キャンセル」ボタン１３０を選択して、エンターキーを押せばよい。
【０１４２】
図１６及び図１７を用いて構成を示し、図１８を用いて設定項目の入力方法を示した他の画像表示システム１０にあっても、上記ＰＣ選択画面７０を用いたユーザによる操作に応じて画像表示装置１のプロジェクタは上記図９〜図１５に示した動作を行う。
【０１４３】
以上に説明したように、図１６の他の画像表示システム１０も、画像表示装置１からの操作により、アクセスポイントＡＰ３を介してネットワーク接続されている複数の情報端末装置のうちの所望の情報端末装置を切り換え選択し、所望の情報端末装置からの画像情報を表示部に表示することができる。つまり、情報端末装置が無線ネットワーク接続されていれば、画像情報を容易に切り換えてスクリーン５に表示することができる。また、画像表示装置１のスクリーン５からネットワークに接続された情報端末装置を確認できる。さらに、画像表示装置１のリモートコントローラ６９からの操作のみで、スクリーン５上に画像を写し出す情報端末装置を切り換えることができるので、例えばプレゼンテーションを行う発表者が順番に複数いる場合でも、順番にしたがって各発表者が各情報端末装置にて出力オン／オフの操作を行うことがなくなるので、次の発表までの時間の空きがなくなり、プレゼンテーションを速やかに進めることができる。
【０１４４】
なお、上記実施の形態は、画像表示装置として、プロジェクタとスクリーンからなる構成の装置を挙げたが、本発明は上記装置に適用が限定されるものではない。例えば、陰極線を利用して画像を表示する陰極線管（Cathode Ray Tube：CRT）表示装置、或いは液晶表示部（Liquid Crystal Display：LCD）に画像を表示する画像表示装置にも適用される。
【図面の簡単な説明】
【０１４５】
【図１】画像表示システムの基本構成図である。
【図２】画像表示装置のプロジェクタと、３つの情報端末装置とによる無線ネットワークシステムを模式的に示す図である。
【図３】画像表示装置の構成を概略的に示すブロック図である。
【図４】ハードウェア構成の画像表示装置と情報端末装置とで、用いられるソフトウェアのシステム構成図である。
【図５】設定情報の具体例を示す図である。
【図６】画像表示装置のハードウェア構成を示すブロック図である。
【図７】情報端末装置のハードウェア構成を示すブロック図である。
【図８】ＰＣ選択画面を示す図である。
【図９】切断中の情報端末装置が画像表示装置からの接続要求を受諾するときのシーケンス図である。
【図１０】切断中の情報端末装置が画像表示装置からの接続要求を拒否するときのシーケンス図である。
【図１１】接続中の情報端末装置が画像表示装置からの切断要求を受諾するときのシーケンス図である。
【図１２】接続中の情報端末装置が画像表示装置からの切断要求を拒否するときのシーケンス図である。
【図１３】接続中の情報端末装置が画像表示装置からの切断要求を受諾し、かつ別の情報端末装置が画像表示装置からの接続要求を受諾するときのシーケンス図である。
【図１４】接続中の情報端末装置が画像表示装置からの切断要求を受諾したが別の情報端末装置が画像表示装置からの接続要求を拒否した場合のシーケンス図である。
【図１５】接続中の情報端末装置が画像表示装置からの切断要求を拒否したために、別の情報端末装置も切断中のままになるときのシーケンス図である。
【図１６】本発明が適用される画像表示システム１０の他の具体例を示す図である。
【図１７】他の画像表示システムにおける画像表示装置の設定項目の入力動作を説明するために用いた構成図である。
【図１８】設定メニュー画面の一例を示す図である。
【符号の説明】
【０１４６】
１  画像表示装置、２Ａ，２Ｂ，２Ｃ  情報端末装置、５  スクリーン、６０  プロジェクタ、７０  ＰＣ選択画面、７１  リスト、７２  接続マーク７２
【図１】
2005285087.tif 000003
【図２】
2005285087.tif 000004
【図３】
2005285087.tif 000005
【図４】
2005285087.tif 000006
【図５】
2005285087.tif 000007
【図６】
2005285087.tif 000008
【図７】
2005285087.tif 000009
【図８】
2005285087.tif 000010
【図９】
2005285087.tif 000011
【図１０】
2005285087.tif 000012
【図１１】
2005285087.tif 000013
【図１２】
2005285087.tif 000014
【図１３】
2005285087.tif 000015
【図１４】
2005285087.tif 000016
【図１５】
2005285087.tif 000017
【図１６】
2005285087.tif 000018
【図１７】
2005285087.tif 000019
【図１８】
2005285087.tif 000020